(57)【要約】      （修正有）【課題】屋内に設置した暖炉や薪ストーブ等の暖房具に接続した二重壁断熱煙突の曲がり管に設けた開口から煙突内部の点検や清掃を容易に行うようにした二重壁断熱煙突の開口構造を提供する。【解決手段】外周筒部７と内周筒部との間に断熱材を介在させた二重壁から成る二重壁断熱煙突の途中に曲がり管３を形成し、曲がり管３の傾斜した外周筒部７の上面側に外側開口１４を形成すると共に、外側開口１４を閉塞する外蓋１５を開閉可能に設け、断熱材は外側開口１４の領域だけ切開して取り外し可能とし、外側開口１４の直下の内周筒部に外側開口１４よりも小面積の内側開口１９を形成すると共に、内側開口１９を閉塞する内蓋１８を開閉可能に設け、この内蓋１８の内側面には内側開口１９に収まる裏板２０を固定し、外蓋１５と内蓋１８との閉塞状態をロック可能にする。【選択図】図３
0003195876.tif 000002
【実用新案登録請求の範囲】
【請求項１】
外周筒部と内周筒部との間に断熱材を介在させた二重壁から成る二重壁断熱煙突の途中に曲がり管を形成し、曲がり管の傾斜した外周筒部の上面側に外側開口を形成すると共に、外側開口を閉塞する外蓋を開閉可能に設け、断熱材は外側開口の領域だけ切開して取り外し可能とし、外側開口の直下の内周筒部に外側開口よりも小面積の内側開口を形成すると共に、内側開口を閉塞する内蓋を開閉可能に設け、この内蓋の内側面には内側開口に収まる裏板を固定し、外蓋と内蓋との閉塞状態をロック可能にしたことを特徴とする二重壁断熱煙突の開口構造。
【請求項２】
外蓋は外側開口の近傍にヒンジで開閉可能に取り付けられ、内蓋は内側開口の近傍にヒンジで開閉可能に取り付けられていることを特徴とする請求項１記載の二重壁断熱煙突の開口構造。
【考案の詳細な説明】
【技術分野】
【０００１】
本考案は、二重壁断熱煙突の曲がり管に設けた開口から煙突内部の点検や清掃を容易に行うことができる二重壁断熱煙突の開口構造に関する。
【背景技術】
【０００２】
従来から、屋内に設置した暖炉や薪ストーブ等の暖房具は、室内から外壁を通過して屋外へと設けられた煙突によって排気を行うようにしている。このような煙突の構造として、短尺に分割した筒状の煙突を連続的に接続することによって、所定長さの煙突に形成するようにした接続構造の煙突が知られている。
【０００３】
一方、上記のような煙突は、煙突内部に発生した煤や埃等を清掃する必要があり、そのため、定期的に煙突の内部を点検したり、煙突内部にブラシ等を挿入して清掃作業を行う必要がある。
【０００４】
ところで、図５（a）に示すように、分割した煙突３０ａ、３０ｂを各煙突のフランジ３１ａ、３１ｂで接続するようにした煙突構造の場合、上下のフランジ３１ａ、３１ｂを固定しているボルト３２を除去した後、図５（b）に示すように、煙突３０ａを横方向にスライドすることによって取り外すことが可能である。
【０００５】
ところが、このように上下の煙突３０ａ、３０ｂをフランジ３１ａ、３１ｂで接続した煙突構造の場合、上下のフランジ３１ａ、３１ｂの接続部の間から煙突内部のヤニ等が外部へ滲み出るという問題があるため、近年の薪ストーブでは、差し込み式の煙突が使用されるようになっている。
【０００６】
この差し込み式の煙突は、図６（a）、（b）に示すように、分割した煙突３３ａ、３３ｂの接続部において、下方の煙突３３ｂの上端に周状の凸部３４が形成され、この周状の凸部３４を上方の煙突３３ａの下端周壁内に差し込むことによって、煙突内部のヤニ等が外部へ滲み出るのを防止するようにしている。
【０００７】
このように、近年の薪ストーブ等に用いられる煙突は、図６（ａ）に示すように、分割した煙突３３ａ、３３ｂの接続部を差込み式の煙突構造にしたものが普及している。しかしながら、この差込み式の煙突の場合、分割した煙突を単独で横方向にずらすことが不可能であり、図６（b）に示すように、煙突３３ａを上方向に抜き出すには、その上方の煙突を除去する等の面倒な作業が必要となる。
【０００８】
なお、図７（ａ）に示すように、外壁３５を貫通する横方向の煙突３６の下部に縦方向の煙突３７を接続した煙突構造の場合、横方向の煙突３６の端部に開口部３８を形成すれば、横方向の煙突３６の内部を点検したり清掃することが可能となるが、縦方向の煙突３７の内部を点検したり清掃することは困難である。
【０００９】
一方、図７（ｂ）に示すように、縦方向の煙突３７と横方向の煙突３６を接続する曲がり管３９を設けた場合、曲がり管３９の傾斜した上面に開口４０を設けることにより、この開口４０から縦方向の煙突３７の内部と横方向の煙突３６の内部の点検や清掃が可能になる。
【００１０】
従って、上記のように、縦方向の煙突と横方向の煙突との接続部に曲がり管を形成することが望ましいが、下記の特許文献に記載されているように、二重構造の煙突の場合、曲がり管に設ける開口部は内側円筒部と外側円筒部の両方に形成する必要がある。しかしながら、内側円筒部と外側円筒部との間には断熱材が設けられているため、特に、内側円筒部に開口部を設け、さらにこの開口部に開閉蓋を設けることは困難である。
【先行技術文献】
【特許文献】
【００１１】
【特許文献１】特開２０１３−１２４８２７号公報
【考案の概要】
【考案が解決しようとする課題】
【００１２】
本考案は、上記の事情に鑑みてなされたものであり、屋内に設置した暖炉や薪ストーブ等の暖房具に接続した二重壁断熱煙突の曲がり管に設けた開口から煙突内部の点検や清掃を容易に行うようにした二重壁断熱煙突の開口構造を提供することを目的とする。
【課題を解決するための手段】
【００１３】
上記の問題を解決するために、本考案における請求項１の二重壁断熱煙突の開口構造は、外周筒部と内周筒部との間に断熱材を介在させた二重壁から成る二重壁断熱煙突の途中に曲がり管を形成し、曲がり管の傾斜した外周筒部の上面側に外側開口を形成すると共に、外側開口を閉塞する外蓋を開閉可能に設け、断熱材は外側開口の領域だけ切開して取り外し可能とし、外側開口の直下の内周筒部に外側開口よりも小面積の内側開口を形成すると共に、内側開口を閉塞する内蓋を開閉可能に設け、この内蓋の内側面には内側開口に収まる裏板を固定し、外蓋と内蓋との閉塞状態をロック可能にしたことを特徴とする。
【００１４】
また、請求項２の二重壁断熱煙突の開口構造は、請求項１において、外蓋は外側開口の近傍にヒンジで開閉可能に取り付けられ、内蓋は内側開口の近傍にヒンジで開閉可能に取り付けられていることを特徴とする。
【考案の効果】
【００１５】
本考案による二重壁断熱煙突の曲がり管は、縦方向の煙突と横方向の煙突の連結部に取り付けることが可能である。また、曲がり管の傾斜した外周筒部の上面側に外側開口を形成すると共に、外側開口を閉塞する外蓋を開閉可能に設けてあるため、外蓋の開閉によって外側開口の開放及び閉塞が可能である。
【００１６】
また、断熱材は外側開口の領域だけ切開し、この切開部を取り外し可能としてあるため、外蓋を開くことによって、断熱材の切開部を取り外したり、交換することが可能である。
【００１７】
さらに、外側開口の直下の内周筒部に外側開口よりも小面積の内側開口を形成すると共に、内側開口を閉塞する内蓋を開閉可能に設けてあるため、上記のように外蓋を開き、断熱材の切開部を取り出した後、内蓋を開閉することによって内側開口の開放及び閉塞が可能である。
【００１８】
上記のような構成において、本考案の二重壁断熱煙突では、煙突の一部を取り外したりすることなく、設置されたそのままの状態で、曲がり管の外側開口と内側開口とを開くことにより、これらの開口から縦方向の煙突と横方向の煙突の内部を同時に目視したり、ブラシ等の道具を挿入することが可能であるため、煙突内の定期点検や清掃を容易に行うことが可能となる。
【図面の簡単な説明】
【００１９】
【図１】本考案の実施例における二重壁断熱煙突を外壁に貫通させた状況を示す側面図である。
【図２】本考案の実施例における曲がり管を示す図であり、（ａ）は正面図、（ｂ）は側面図、（ｃ）は（ａ）のＡ−Ａ矢示線で示す部位における内蓋を開いた状態を示す断面図であり、（ｄ）は（ａ）のＡ−Ａ矢示線で示す部位における内蓋を閉じた状態を示す断面図である。
【図３】本考案の実施例における曲がり管の外蓋と内蓋を開いた状態を示す外観図である。
【図４】本考案の実施例における曲がり管を示す外観図であり、（ａ）は外蓋を閉じた状態を示し、（ｂ）は外蓋を開けた状態を示し、（ｃ）は断熱材の切断部を取り外した状態を示し、（ｄ）は内蓋を開けた状態を示す。
【図５】従来の煙突をフランジで接続した状況を示す部分側面図であり、（ａ）は上下の煙突の接続状態、（ｂ）は上方の煙突を横方向にずらした状態を示す。
【図６】従来の煙突を差し込み構造で接続した状況を示す部分側面図であり、（ａ）は上下の煙突の接続状態、（ｂ）は上方の煙突を上方向にずらした状態を示す。
【図７】従来の煙突の構造において、（ａ）は横方向の煙突の下部に縦方向の煙突を接続した状態を示す図であり、（ｂ）は横方向の煙突と縦方向の煙突とを曲がり管で接続した状態を示す図である。
【考案を実施するための形態】
【００２０】
以下、本考案の実施例について図面を参照しながら説明する。
【実施例】
【００２１】
本実施例は、図１に示すように、屋内に設置した暖炉や薪ストーブ等の暖房具１に接続した縦方向の煙突２を曲がり管３を介して横方向の煙突４に連結し、この横方向の煙突４を室内から外壁５を貫通して屋外の煙突６に連結することにより、暖房具１から発生する燃焼ガス等の排気を行うようにしたものである。
【００２２】
また、図１の曲がり管３は、図３に示すように、ステンレス等から形成された円筒形状の外周筒部７と内周筒部８との間に断熱材の切断部９を介在させた二重壁から成る二重壁断熱煙突の構造を有し、図１に示すように、縦方向の煙突２と横方向の煙突４とを連結する構成として、９０°エルボーと称する略直角の形状を形成している。
【００２３】
この曲がり管３は、図１又は図２に示すように、縦方向の煙突２に接続する縦方向筒体１０と横方向の煙突４に接続する横方向筒体１１との間に、夫々の連結部１２、１３を略４５°の角度で傾斜させた傾斜状の外周筒部７を形成して、縦方向筒体１０と横方向筒体１１とに溶接接合した構成としている。
【００２４】
また、この曲がり管３は、図３に示すように、曲がり管３の外周筒部７の上面側に外側開口１４を形成すると共に、外側開口１４を閉塞する外蓋１５を開閉可能に設けた構成としている。
【００２５】
より詳細には、図３に示すように、曲がり管３を形成する傾斜した外周筒部７の略上半分の面積をなす領域に外側開口１４を切開し、この外側開口１４よりもやや広い形状の外蓋１５を蝶番等のヒンジ部材１６（図４（ａ）参照）で開閉可能に連結した構成としている。このような構成において、外蓋１５を閉じると、図２（b）に示すように、外蓋１５の周部が外側開口１４の周縁の上面に被さる状態となって、図４（a）に示すように、外側開口１４を閉塞することが可能となる。
【００２６】
また、図２（ｂ）に示すように、外蓋１５の端部には、この外蓋１５の閉じた状態を固定する締付け金具１７が取り付けられている。この締付け金具１７としては、例えば、外蓋１５の端部にフック１７aを固定する一方、外側開口１４の近傍位置の外周筒部７にレバー１７ｂで締め付けるコ字形金具１７ｃを取り付けた構造とし、外蓋１５を閉じた状態でコ字形金具１７ｃをフック１７aに掛けてレバー１７ｂを引くことにより、外蓋１５の閉塞状態をロック可能にすることが可能となる。
【００２７】
また、外周筒部７と内周筒部８との間に設けられた断熱材の切断部９は、図４（b）に示すように、外側開口１４の領域だけ切開して取り替え可能としてあり、外蓋１５を開いた後、断熱材の切断部９の切開部を取り外すことによって、図４（c）に示すように、内蓋１８が露呈される。
【００２８】
このように曲がり管３に設けられた内蓋１８は、図３に示すように、上記の曲がり管３において、外側開口１４の直下の内周筒部８に外側開口１４よりも小面積の楕円形状の内側開口１９を形成すると共に、この内側開口１９よりもやや広い形状の内蓋１８を蝶番等のヒンジ部材１６で開閉可能に連結した構成としている。
【００２９】
また、図３に示すように、内蓋１８の内側面に内側開口１９に収まる裏板２０を固定している。このような構成において、内蓋１８を開いた状態における内蓋１８と内側開口１９との断面状況は、図２（c）に示すようになり、この内蓋１８を内側開口１９に向けて閉じると、内蓋１８の裏板２０は内側開口１９内に収まり、内側開口１９を塞いだ状態となる。このため、裏板２０によって内側開口１９の段差がなくなり、内蓋１８からの煙やヤニ等の漏れを防止することが可能となる。
【００３０】
また、この内蓋１８にも、図３に示すように、上記の外蓋１５と同様に、フック１７aとコ字形金具１７ｃ等の組み合わせによる締付け金具１７が取り付けられ、内側開口１９の付近に固定したフック１７aに内蓋１８の端部に固定したコ字形金具１７ｃを掛けてレバー１７ｂを引くことにより、内蓋１８の閉塞状態をロックすることが可能である。
【００３１】
なお、図３に示すように、曲がり管３の横方向筒体１１の端部には、内側に周状の凸部２１を形成すると共に、端部の外周には複数のＬ字形溝部２２を等間隔で形成してあり、これらのＬ字形溝部２２を、例えば図１の横方向の煙突４の端部内周に設けた凸部（不図示）に嵌合して回動することにより連結することが可能である。
【００３２】
上記のように構成された本実施例の二重壁断熱煙突の内部を点検したり清掃する際には、図４（ａ）に示す曲がり管３の外蓋１５の締付け金具１７を解除して、図４（ｂ）に示すように外蓋１５を開くと、外側開口１４内に断熱材の切断部９が露呈し、この断熱材の切断部９を取り出すと、図４（ｃ）に示すように内蓋１８が露呈する。そして、図４（ｄ）に示すように、内蓋１８の締付け金具１７を解除して内蓋１８を開くことにより、内側開口１９を開放することが可能となる。
【００３３】
上記のような構成においては、本考案の二重壁断熱煙突では、煙突の一部を取り外したりすることなく、設置されたそのままの状態で、曲がり管３の外側開口１４と内側開口１９とを開くことにより、これらの開口から縦方向の煙突２と横方向の煙突４の内部を同時に目視したり、ブラシ等の道具を挿入することができ、煙突内の定期点検や清掃を容易に行うことが可能となる。
【産業上の利用可能性】
【００３４】
本考案による二重壁断熱煙突の開口構造は、屋内に設置した暖炉や薪ストーブ等の暖房具に接続した二重壁断熱煙突の曲がり管に設けた開口から煙突内部の点検や清掃を容易に行うようにした二重壁断熱煙突の開口構造として利用可能である。
【符号の説明】
【００３５】
１  暖房具
２  縦方向の煙突
３  曲がり管
４  横方向の煙突
５  外壁
６  屋外の煙突
７  外周筒部
８  内周筒部
９  断熱材の切断部
１０  縦方向筒体
１１  横方向筒体
１２、１３  連結部
１４  外側開口
１５  外蓋
１６  ヒンジ部材
１７  締付け金具
１７ａ  フック
１７ｂ  レバー
１７ｃ  コ字形金具
１８  内蓋
１９  内側開口
２０  裏板
２１  突出部
２２  Ｌ型形溝部
【図１】
0003195876.tif 000003
【図２】
0003195876.tif 000004
【図３】
0003195876.tif 000005
【図４】
0003195876.tif 000006
【図５】
0003195876.tif 000007
【図６】
0003195876.tif 000008
【図７】
0003195876.tif 000009
【手続補正書】
【提出日】平成26年11月27日(2014.11.27)
【手続補正１】
【補正対象書類名】実用新案登録請求の範囲
【補正対象項目名】請求項１
【補正方法】変更
【補正の内容】
【請求項１】
外周筒部と内周筒部との間に断熱材を介在させた二重壁から成る二重壁断熱煙突の途中に曲がり管を形成し、曲がり管の傾斜した外周筒部の上面側に外側開口を形成すると共に、外側開口を閉塞する外蓋を開閉可能に設け、断熱材は外側開口の領域だけ切開して取り外し可能とし、外側開口の直下の内周筒部に外側開口よりも小面積の内側開口を形成すると共に、内側開口を閉塞する内蓋を開閉可能に設け、この内蓋の内側面には内側開口に収まる裏板を固定し、外蓋の閉塞状態をロック可能にする第１のロック手段と、内蓋の閉塞手段をロック可能にする第２のロック手段を設けたことを特徴とする二重壁断熱煙突の開口
構造。
【手続補正２】
【補正対象書類名】明細書
【補正対象項目名】００１３
【補正方法】変更
【補正の内容】
【００１３】
上記の問題を解決するために、本考案における請求項１の二重壁断熱煙突の開口構造は、外周筒部と内周筒部との間に断熱材を介在させた二重壁から成る二重壁断熱煙突の途中に曲がり管を形成し、曲がり管の傾斜した外周筒部の上面側に外側開口を形成すると共に、外側開口を閉塞する外蓋を開閉可能に設け、断熱材は外側開口の領域だけ切開して取り外し可能とし、外側開口の直下の内周筒部に外側開口よりも小面積の内側開口を形成すると共に、内側開口を閉塞する内蓋を開閉可能に設け、この内蓋の内側面には内側開口に収まる裏板を固定し、外蓋の閉塞状態をロック可能にする第１のロック手段と、内蓋の閉塞手段をロック可能にする第２のロック手段を設けたことを特徴とする。